(57)【要約】【課題】燃料タンク内などにおける液体燃料の濃度を一定に維持し、液体燃料の気化を促進して、安定した電池出力を得ることができる燃料電池を提供することを目的とする。【解決手段】燃料極と、空気極と、燃料極と空気極とに挟持された電解質膜１５と、液体燃料を収容する液体燃料タンク２１と、液体燃料タンク２１と燃料極との間に配設され、燃料極から拡散した水蒸気と液体燃料Ｆとの間の熱交換を行い、液体燃料Ｆの気化成分を燃料極側に通過させる気液分離膜２２とを具備する。【選択図】図１
2007122960.tif 000002
【特許請求の範囲】
【請求項１】
燃料極、空気極、および前記燃料極と前記空気極とに挟持された電解質膜から構成される膜電極接合体と、
液体燃料を収容する燃料タンクと、
前記燃料タンクと前記膜電極接合体の燃料極側との間に配設され、前記燃料極から拡散した水蒸気と前記液体燃料との間の熱交換を行い、前記液体燃料の気化成分を前記燃料極側に通過させる気液分離層と
を具備することを特徴とする燃料電池。
【請求項２】
前記気液分離層の前記燃料極側の表面では、前記水蒸気が凝縮し、前記気液分離層の燃料タンク側の表面では、液体燃料が気化することを特徴とする請求項１記載の燃料電池。
【請求項３】
前記気液分離層の燃料タンク側の表面の少なくとも一部分に面して、液体燃料を供給する液体供給手段を備えたことを特徴とする請求項１または２記載の燃料電池。
【請求項４】
前記液体供給手段が、液体燃料を毛管力によって含浸して供給する構成を備えることを特徴とする請求項３記載の燃料電池。
【請求項５】
前記気液分離層の前記燃料極側の表面の一部に面して、水を排出する水排出手段を備えたことを特徴とする請求項１乃至４のいずれか１項記載の燃料電池。
【請求項６】
前記水排出手段が、水を毛管力によって含浸して排出する構成を備えることを特徴とする請求項５記載の燃料電池。
【発明の詳細な説明】
【技術分野】
【０００１】
本発明は、燃料電池、特に小型のパッシブ型の燃料電池に関する。
【背景技術】
【０００２】
近年の半導体技術の発達に伴い、ＯＡ機器、オーディオ機器などの電子機器の小型化、高性能化、ポータブル化が進み、これら携帯用電子機器に使用される電池の高エネルギ密度化の要求が強まっている。
【０００３】
このような状況のもと、小型の燃料電池が注目を集めている。特に、メタノールを燃料として用いた直接メタノール型燃料電池（ＤＭＦＣ：Direct Methanol Fuel Cell）は、水素ガスを使用する燃料電池に比べ、水素ガスの取り扱いの困難さを回避でき、また有機燃料を改質して水素を作り出す装置等が必要なく、小型化に優れていると考えられる。
【０００４】
ＤＭＦＣでは、燃料極（アノード）においてメタノールが酸化分解され、二酸化炭素、プロトンおよび電子が生成される。一方、空気極（カソード）では、空気から得られる酸素と、電解質膜を経て燃料極から供給されるプロトン、および燃料極から外部回路を通じて供給される電子によって水が生成される。また、この外部回路を通る電子によって、電力が供給されることになる。
【０００５】
ＤＭＦＣにおける燃料供給の方法としては、燃料タンクに収容された液体燃料を、直接、液体燃料含浸部の主面に接触させて、液体燃料含浸部に含浸させ、燃料極側に液体燃料を供給する技術が開示されている（例えば、特許文献１−４参照。）。
【特許文献１】特許第３４１３１１１号公報
【特許文献２】特開２００３−３１７７９１号公報
【特許文献３】特開２００４−１４１４８号公報
【特許文献４】特開２００４−７９５０６号公報
【発明の開示】
【発明が解決しようとする課題】
【０００６】
燃料電池では、カソード触媒層において、水を生成する発電反応を生じ、この反応が進行してカソード触媒層における水分貯蔵量が多くなると、浸透圧現象によって、電解質膜を介して生成した水のアノード触媒層側への移動が促進される。
【０００７】
上記した従来の燃料電池では、アノード触媒層側へ移動した水が水蒸気となり、液体燃料含浸部を介して燃料タンク内に拡散し、それらの部位で水蒸気が冷却されることで凝縮して水となることがあった。これにより、それらの部位における燃料濃度が低下し、所定の電池出力が得られないという問題を生じることがあった。
【０００８】
また、上記のように液体燃料を燃料極側に直接供給する方法以外に、液体燃料が気化した気化燃料を燃料極側に供給する方法も考えられる。しかし、この方式では、液体燃料の気化速度によって気化燃料の供給速度が制限されるため、大電量で発電しようとした場合に気化燃料の供給が追いつかず、このために燃料電池の電圧が低下してしまい、一定以上の発電出力を得ることが困難であるという問題があった。
【０００９】
そこで、本発明は、上記課題を解決するためになされたものであり、燃料タンク内などにおける液体燃料の濃度を一定に維持し、液体燃料の気化を促進して、安定した電池出力を得ることができる燃料電池を提供することを目的とする。
【課題を解決するための手段】
【００１０】
上記目的を達成するために、本発明の燃料電池は、燃料極、空気極、および前記燃料極と前記空気極とに挟持された電解質膜から構成される膜電極接合体と、液体燃料を収容する燃料タンクと、前記燃料タンクと前記膜電極接合体の燃料極側との間に配設され、前記燃料極から拡散した水蒸気と前記液体燃料との間の熱交換を行い、前記液体燃料の気化成分を前記燃料極側に通過させる気液分離層とを具備することを特徴とする。
【００１１】
この燃料電池によれば、気液分離膜を介して、燃料極から拡散した水蒸気と液体燃料との間で熱交換を行うことができるので、液体燃料の気化を促進することができる。また、燃料極から拡散した水蒸気は、気液分離膜の燃料極側の面で凝縮して水となるので、水蒸気が気液分離膜を通過して液体燃料タンク内に拡散することを防止できる。
【発明の効果】
【００１２】
本発明の燃料電池によれば、燃料タンク内などにおける液体燃料の濃度を一定に維持し、液体燃料の気化を促進して、安定した電池出力を得ることができる。
【発明を実施するための最良の形態】
【００１３】
以下、本発明の一実施の形態について図を参照して説明する。
【００１４】
図１には、本発明に係る一実施の形態の直接メタノール型の燃料電池１０の断面図が模式的に示されている。
【００１５】
図１に示すように、燃料電池１０は、アノード触媒層１１およびアノードガス拡散層１２からなる燃料極と、カソード触媒層１３およびカソードガス拡散層１４からなる空気極と、アノード触媒層１１とカソード触媒層１３との間に挟持されたプロトン（水素イオン）伝導性の電解質膜１５とから構成される膜電極接合体（ＭＥＡ：Membrane Electrode Assembly ）１６を起電部として構成している。
【００１６】
アノード触媒層１１およびカソード触媒層１３に含有される触媒としては、例えば、白金族元素である、Ｐｔ、Ｒｕ、Ｒｈ、Ｉｒ、Ｏｓ、Ｐｄなどの単体金属、白金族元素を含有する合金などを挙げることができる。具体的には、アノード触媒層１１として、メタノールや一酸化炭素に対して強い耐性を有するＰｔ−ＲｕやＰｔ−Ｍｏなど、カソード触媒層１３として、白金やＰｔ−Ｎｉなどを用いることが好ましいが、これらに限られるものではない。また、炭素材料のような導電性担持体を使用する担持触媒、あるいは無担持触媒を使用してもよい。
【００１７】
電解質膜１５を構成するプロトン伝導性材料としては、例えば、スルホン酸基を有する、例えば、パーフルオロスルホン酸重合体などのフッ素系樹脂（ナフィオン（商品名、デュポン社製）、フレミオン（商品名、旭硝子社製）など）、スルホン酸基を有する炭化水素系樹脂、タングステン酸やリンタングステン酸などの無機物等が挙げられるが、これらに限定されるものではない。
【００１８】
アノード触媒層１１に積層されたアノードガス拡散層１２は、アノード触媒層１１に燃料を均一に供給する役割を果たすと同時に、アノード触媒層１１の集電体としての機能も兼ね備えている。一方、カソード触媒層１３に積層されたカソードガス拡散層１４は、カソード触媒層１３に空気等の酸化剤を均一に供給する役割を果たすと同時に、カソード触媒層１３の集電体としての機能も兼ね備えている。そして、アノードガス拡散層１２の表面には、アノード導電層１７が配設され、カソードガス拡散層１４の表面には、カソード導電層１８が配設されている。アノード導電層１７およびカソード導電層１８は、例えば、金などの導電金属材料からなるメッシュなどの多孔質層や、開孔を有する板あるいは箔などで構成される。なお、アノード導電層１７およびカソード導電層１８は、それらの周縁から燃料や酸化剤が漏れないように構成される。
【００１９】
アノードシール材１９は、矩形枠状を有し、アノード導電層１７と電解質膜１５との間に位置するとともに、アノード触媒層１１およびアノードガス拡散層１２の周囲を囲んでいる。一方、カソードシール材２０は、矩形枠状を有し、カソード導電層１８と電解質膜１５との間に位置するとともに、カソード触媒層１３およびカソードガス拡散層１４の周囲を囲んでいる。アノードシール材１９およびカソードシール材２０は、例えば、ゴム製のＯリングなどで構成され、膜電極接合体１６からの燃料漏れおよび酸化剤漏れを防止している。なお、アノードシール材１９およびカソードシール材２０の形状は、矩形枠状に限られず、燃料電池１０の外縁形に対応するように適宜に構成される。
【００２０】
また、液体燃料Ｆを収容する液体燃料タンク２１の開口部を覆うように配設された気液分離膜２２上には、燃料電池１０の外縁形に対応した形状で構成されたフレーム２３（ここでは矩形のフレーム）が配置される。そして、このフレーム２３の一方の面に、アノード導電層１７が接するように、上記したアノード導電層１７およびカソード導電層１８を備えた膜電極接合体１６が積層配置されている。また、フレーム２３、気液分離膜２２およびアノード導電層１７で囲まれた気化燃料収容室２５は、気液分離膜２２を透過してきた液体燃料Ｆの気化成分を一時的に収容し、さらに気化成分における燃料の濃度分布を均一にする空間として機能する。ここで、フレーム２３は、電気絶縁材料で構成され、具体的には、例えばポリエチレンテレフタレート（ＰＥＴ）のような熱可塑性ポリエステル樹脂などで形成される。
【００２１】
また、気化燃料収容室２５内に、気液分離膜２２の一部に面して、水排出手段２４が設けられ、水排出手段２４の一部は、燃料電池１０の外部に突出されている。この水排出手段２４は、気液分離膜２２上の水を燃料電池１０の外部に導くものである。水排出手段２４を構成する材料は、気孔率が１０〜９０％で、吸水率が３０〜９０％である材料を用いることが好ましい。
【００２２】
ここで、この範囲の気孔率が好ましいのは、気孔率が１０％より小さい場合には、十分な排水量や排水速度を確保することが困難であり、９０％より大きい場合には、気孔径が大きくなって毛管力が低下するためにかえって水排出手段の中に水を保持しにくくなることや、水排出手段自身の強度が低下してしまい長時間使用していると変形などを生じ、そのために排水速度が低下するなどの不具合を生じるからである。
【００２３】
また、上記した範囲の吸水率が好ましいのは、吸水率が３０％より小さい場合には、気孔率が小さい場合と同様に十分な排水量や排水速度を確保することが困難であり、９０％より大きい場合には、吸収した燃料で燃料供給手段自体が膨張、膨潤などを生じることにより、形状を維持することが困難となるからである。具体的には、水排出手段２４は、ポリエステル、ナイロン、アクリルなどの合成繊維や、ガラスなどの無機物繊維、綿、毛、絹、紙などの天然繊維などで形成された不織布や織布、あるいは発砲ポリウレタン、発砲ポリスチレン、多孔性ポリエチレンなどの合成樹脂多孔質体、海綿などの天然多孔質体などで構成される。なお、水排出手段２４が水を含浸している場合には、水排出手段２４を介して外部に燃料などが漏れることはない。
【００２４】
液体燃料タンク２１内には、一端側が液体燃料タンク２１の底面から立設し、他端側を気液分離膜２２に面して、燃料供給手段２６が設けられている。この燃料供給手段２６は、気液分離膜２２の少なくとも一部に面するように設けられる。ここで、液体燃料Ｆの気化を促進するために、燃料供給手段２６の他端側は、気液分離膜２２の一方側（液体燃料タンク２１側）の全面に面して設けられるのが好ましい。この燃料供給手段２６は、液体燃料タンク２１内の液体燃料Ｆを気液分離膜２２の一方側の面に導くものである。燃料供給手段２６を構成する材料は、気孔率が３０〜９０％で、吸水率が３０〜９０％である材料を用いることが好ましい。
【００２５】
ここで、この範囲の気孔率が好ましいのは、気孔率が３０％より小さい場合には、十分な燃料供給量や燃料供給速度を確保することが困難であり、気孔率が９０％より大きい場合には、毛管力が低下したり燃料供給手段自体が変形を生じるなどのために燃料供給速度が低下するなどの不具合を生じるからである。
【００２６】
また、上記した範囲の吸水率が好ましいのは、吸水率が３０％より小さい場合には、気孔率が小さい場合と同様に十分な燃料供給量や燃料供給速度を確保することが困難であり、吸水率が９０％より大きい場合には、吸収した燃料で燃料供給手段自体が膨張、膨潤などを生じることにより、形状を維持することが困難となるからである。具体的には、燃料供給手段２６は、ポリエステル、ナイロン、アクリルなどの合成繊維や、ガラスなどの無機物繊維、綿、毛、絹、紙等の天然繊維などで形成された不織布や織布、あるいは発砲ポリウレタン、発砲ポリスチレン、多孔性ポリエチレンなどの合成樹脂多孔質体、海綿などの天然多孔質体などで構成される。
【００２７】
ここで、液体燃料タンク２１に収容される液体燃料Ｆは、濃度が５０モル％を超えるメタノール水溶液、または純メタノールである。また、純メタノールの純度は、９５重量％以上１００重量％以下にすることが好ましい。ここで、上記した液体燃料Ｆの気化成分とは、液体燃料Ｆとして液体のメタノールを使用した場合には、気化したメタノールを意味し、液体燃料Ｆとしてメタノール水溶液を使用した場合には、メタノールの気化成分と水の気化成分からなる混合気を意味する。
【００２８】
気液分離膜２２は、液体燃料Ｆの気化成分と液体燃料Ｆとを分離し、その気化成分をアノード触媒層１１側に通過させ、さらに、アノード触媒層１１から拡散した水蒸気と燃料供給手段２６によって導かれた液体燃料Ｆとの間で熱交換を行うものである。気液分離膜２２は、液体燃料Ｆの気化成分を通過させ、熱伝導率の高い材料で構成されることが好ましく、具体的には、シリコーンゴム、低密度ポリエチレン（ＬＤＰＥ）薄膜、ポリ塩化ビニル（ＰＶＣ）薄膜、ポリエチレンテレフタレート（ＰＥＴ）薄膜、フッ素樹脂（たとえばポリテトラフルオロエチレン（ＰＴＦＥ）、テトラフルオロエチレン・パーフルオロアルキルビニルエーテル共重合体（ＰＦＡ）など）微多孔膜などの材料で構成される。なお、気液分離膜２２は、その周縁から燃料が漏れないように構成される。
【００２９】
一方、カソード導電層１８上には、燃料電池１０の外縁形に対応した形状で構成されたフレーム２７（ここでは矩形のフレーム）を介して、保湿層２８が積層されている。また、保湿層２８上には、酸化剤である空気を取り入れるための空気導入口３０が複数個形成された表面層２９が積層されている。この表面層２９は、膜電極接合体１６を含む積層体を加圧して、その密着性を高める役割も果たしているため、例えば、ＳＵＳ３０４のような金属で形成される。また、フレーム２７は、上記したフレーム２３と同様に、電気絶縁材料で構成され、具体的には、例えば、ポリエチレンテレフタレート（ＰＥＴ）のような熱可塑性ポリエステル樹脂などで形成される。
【００３０】
また、保湿層２８は、カソード触媒層１３において生成した水の一部を含浸して、水の蒸散を抑制する役割をなすとともに、カソードガス拡散層１４に酸化剤を均一に導入することにより、カソード触媒層１３への酸化剤の均一拡散を促す補助拡散層としての機能も有している。この保湿層２８は、例えば、ポリエチレン多孔質膜などの材料で構成される。ここで、浸透圧現象によるカソード触媒層１３側からアノード触媒層１１側への水の移動は、保湿層２８上に設置された表面層２９の空気導入口３０の個数やサイズを変えて、開口面積等を調整することで制御することができる。
【００３１】
次に、上記した燃料電池１０における作用について、図１および図２を参照して説明する。
【００３２】
図２は、アノード触媒層１１から拡散した水蒸気１００と燃料供給手段２６によって導かれた液体燃料Ｆとの間の熱交換を行い、液体燃料Ｆの気化成分を通過させる気液分離膜２２の説明をするための概要図である。
【００３３】
液体燃料タンク２１内の液体燃料Ｆ（例えば、メタノール水溶液）は、例えば、毛管力によって、燃料供給手段２６に含浸し、気液分離膜２２の一方の面（液体燃料タンク２１側の面）に接触する。また、アノード触媒層１１から拡散した水蒸気１００は、気液分離膜２２の他方の面（気化燃料収容室２５側の面）に接触し、凝縮して水１０１となる。この際、少なくとも水蒸気１００が有していた潜熱が放出され、その熱が気液分離膜２２を伝導して、気液分離膜２２の一方の面側に伝わる。そして、この伝導した熱は、気液分離膜２２の一方の面と接触する液体燃料Ｆに伝達され、液体燃料Ｆが気化する。
【００３４】
ここで、水蒸気の凝縮と液体燃料の気化との間で熱交換が行われるのは、水よりもメタノールの方が沸点が低く、気化しやすいために、水が凝縮してメタノールが気化する方が熱力学的に安定であることが主な理由である。
【００３５】
気化したメタノールと水蒸気の混合気１０２は、気液分離膜２２を透過し、気化燃料収容室２５に一旦収容され、濃度分布が均一にされる。なお、燃料供給手段２６を設けた場合でも、混合気１０２には、液体燃料Ｆの液面から気化した混合気を含むこともあるが、主として液体燃料Ｆが気化するのは、気液分離膜２２の一方の面である。一方、気液分離膜２２の他方の面に生成された水１０１は、気液分離膜２２を通過することはできず、水排出手段２４によって吸収され、燃料電池１０の外部に排出される。
【００３６】
気化燃料収容室２５に一旦収容された混合気１０２は、アノード導電層１７を通過し、さらにアノードガス拡散層１２で拡散され、アノード触媒層１１に供給される。アノード触媒層１１に供給された混合気１０２は、次の式（１）に示すメタノールの内部改質反応を生じる。
ＣＨ３ＯＨ＋Ｈ２Ｏ  →  ＣＯ２＋６Ｈ＋＋６ｅ−  …式（１）
【００３７】
なお、液体燃料Ｆとして、純メタノールを使用した場合には、液体燃料タンク２１からの水蒸気の供給がないため、カソード触媒層１３で生成した水や電解質膜１５中の水などがメタノールと上記した式（１）の内部改質反応を生じるか、または上記した式（１）の内部改質反応によらず、水を必要としない他の反応機構により内部改質反応を生じる。
【００３８】
内部改質反応で生成されたプロトン（Ｈ＋）は、電解質膜１５を伝導し、カソード触媒層１３に到達する。一方、表面層２９の空気導入口３０から取り入れられた空気は、保湿層２８、カソード導電層１８、カソードガス拡散層１４を拡散して、カソード触媒層１３に供給される。カソード触媒層１３に供給された空気は、次の式（２）に示す反応を生じる。この反応によって、水が生成され、発電反応が生じる。
（３／２）Ｏ２＋６Ｈ＋＋６ｅ−  →  ３Ｈ２Ｏ  …式（２）
【００３９】
この反応によってカソード触媒層１３中に生成した水は、カソードガス拡散層１４を拡散して保湿層２８に到達し、一部の水は、保湿層２８上に設けられた表面層２９の空気導入口３０から蒸散されるが、残りの水は、表面層２９によって蒸散が阻害される。特に、式（２）の反応が進行すると、表面層２９によって蒸散が阻害される水量が増し、カソード触媒層１３中の水分貯蔵量が増加する。この場合には、式（２）の反応の進行に伴って、カソード触媒層１３の水分貯蔵量が、アノード触媒層１１の水分貯蔵量よりも多い状態となる。その結果、浸透圧現象によって、カソード触媒層１３に生成した水が、電解質膜１５を通過してアノード触媒層１１に移動する反応が促進される。そのため、アノード触媒層１１への水分の供給を液体燃料タンク２１から気化した水蒸気のみに頼る場合に比べて、水分の供給が促され、前述した式（１）におけるメタノールの内部改質反応を促進させることができる。これによって、出力密度を高くすることができるとともに、その高い出力密度を長期間に亘り維持することが可能となる。
【００４０】
また、液体燃料Ｆとして、メタノールの濃度が５０モル％を超えるメタノール水溶液、または純メタノールを使用する場合でも、カソード触媒層１３からアノード触媒層１１に移動してきた水を内部改質反応に使用することができるので、アノード触媒層１１への水の供給を安定して行うことが可能となる。これによって、メタノールの内部改質反応の反応抵抗をさらに低下することができ、長期出力特性と負荷電流特性をより向上させることができる。さらに、液体燃料タンク２１の小型化を図ることも可能である。
【００４１】
上記したように、一実施の形態の直接メタノール型の燃料電池１０によれば、気液分離膜２２を介して、アノード触媒層１１から拡散した水蒸気１００と燃料供給手段２６によって導かれた液体燃料Ｆとの間で熱交換を行うことができるので、液体燃料Ｆの気化を促進し、大きな電圧低下を生じることなく発電電流を増加することができ、発電による燃料電池の出力を向上することができる。
【００４２】
また、アノード触媒層１１から拡散した水蒸気１００は、気液分離膜２２の他方の面（気化燃料収容室２５側の面）で凝縮して水１０１となるので、水蒸気１００が気液分離膜２２を通過して液体燃料タンク２１内に拡散することを防止できる。これによって、アノード触媒層１１から拡散した水蒸気１００が、液体燃料タンク２１内に拡散し、その後凝縮して水となり液体燃料Ｆに混入することを防止できるので、液体燃料タンク２１内の液体燃料Ｆの燃料濃度を一定に維持することができる。このように、液体燃料タンク２１内の液体燃料Ｆの燃料濃度の低下を防止し、燃料濃度を一定に維持することで、所定の燃料濃度を有する液体燃料Ｆの気化成分をアノード触媒層１１に供給することができ、安定した電池出力を得ることができる。
【００４３】
さらに、燃料供給手段２６によって、液体燃料Ｆを、気液分離膜２２の一方の面（液体燃料タンク２１側の面）に接するように均一に供給することができるので、気液分離膜２２を介して行われる、アノード触媒層１１から拡散した水蒸気１００と液体燃料Ｆとの間の熱交換を効率よく進行させることができる。これによって、液体燃料Ｆの気化を促進することができる。
【００４４】
また、水排出手段２４を設けることで、気液分離膜２２の他方の面に生成された水１０１を燃料電池１０の外部に排出することができるので、生成された水１０１が、液体燃料Ｆの気化成分が気液分離膜２２を通過する妨げとなるのを抑制することができる。
【００４５】
なお、上記した一実施の形態では、液体燃料に、メタノール水溶液、または純メタノールを使用した直接メタノール型の燃料電池について説明したが、液体燃料は、これらに限られるものではない。例えば、エチルアルコール、イソプロピルアルコール、ジメチルエーテル、ギ酸など、またはこれらの水溶液を用いた液体燃料直接供給型の燃料電池にも応用することができる。いずれにしても、燃料電池に応じた液体燃料が使用される。
【００４６】
また、所定の電池出力を得るために、主として、図１に示した燃料電池１０を複数並設し、各燃料電池１０を電気的に直列に接続して、燃料電池を構成する。この際、例えば、１つの液体燃料タンク２１を共用するように構成することができる。
【００４７】
次に、燃料電池１０に燃料供給手段２６を設けることで、優れた出力特性が得られることを以下の実施例で説明する。
【００４８】
（実施例１）
実施例１で使用した本発明に係る燃料電池を次のように作製した。
【００４９】
まず、白金担持カーボンブラックに、パーフルオロカーボンスルホン酸溶液、水およびメトキシプロパノールを添加し、白金担持カーボンブラックを分散させてペーストを作製した。得られたペーストを空気極のカソードガス拡散層である多孔質カーボンペーパに塗布した。そして、これを常温で乾燥し、カソード触媒層およびカソードガス拡散層からなる空気極を作製した。
【００５０】
また、白金ルテニウム合金微粒子を担持したカーボン粒子に、パーフルオロカーボンスルホン酸溶液、水およびメトキシプロパノールを添加し、カーボン粒子を分散させてペーストを作製した。得られたペーストを燃料極のアノードガス拡散層である多孔質カーボンペーパに塗布した。そして、これを常温乾燥し、アノード触媒層およびアノードガス拡散層からなる燃料極を作製した。
【００５１】
電解質膜として、厚さが３０μｍで、含水率が１０〜２０重量％のパーフルオロカーボンスルホン酸膜（Nafion膜、デュポン社製）を用い、この電解質膜を、空気極および燃料極で挟持し、ホットプレスを行って、膜電極接合体（ＭＥＡ）を作製した。なお、電極面積は、空気極、燃料極ともに１２ｃｍ２とした。
【００５２】
続いて、この膜電極接合体を、空気および気化したメタノールを取り入れるための複数の開孔を有する金箔で挟み、アノード導電層およびカソード導電層を形成した。
【００５３】
上記した膜電極接合体（ＭＥＡ）、アノード導電層、カソード導電層が積層された積層体を樹脂製の２つのフレームで挟み込んだ。なお、電解質膜とアノード導電層との間、電解質膜とカソード導電層との間には、それぞれゴム製のＯリングを挟持してシールを施した。
【００５４】
また、２つのフレームで挟み込まれた積層体を、燃料極側が気液分離膜側になるように気液分離膜を介して、液体燃料タンクにネジ止めによって固定した。気液分離膜には、厚さが１００μｍのシリコーンシートを使用した。
【００５５】
また、気化燃料収容室内に、気液分離膜の一部に面して、厚さが５００μｍで、気孔率が６０％、吸水率が６０％のポリエステ製の不織布で形成された水排出手段が設けられた。また、水排出手段の一部は、燃料電池の外部に突出させた。
【００５６】
液体燃料タンク内には、一端側が液体燃料タンクの底面から立設し、他端側を気液分離膜に面して、厚さが５００μｍで、気孔率が６０％、吸水率が６０％のポリエステ製の不織布で形成された燃料供給手段が設けられた。また、燃料供給手段は、気液分離膜の一方の面の全面に接触させて設けられた。
【００５７】
一方、空気極側のフレーム上には多孔質板を配置し、保湿層を形成した。また、この保湿層上には、空気取り入れのための空気導入口（口径３ｍｍ、口数６０個）が形成された厚さが２ｍｍのステンレス板（ＳＵＳ３０４）を配置して表面層を形成し、ネジ止めによって固定した。
【００５８】
上記したように形成された燃料電池の液体燃料タンクに、純メタノールを１０ｍｌ注入し、温度２５℃、相対湿度５０％の環境の下、単位面積あたりの電流量である電流密度（ｍＡ／ｃｍ２）と燃料電池の出力電圧（Ｖ）との関係を測定した。その結果を図３に示す。また、発電時間と発電開始時の燃料電池の出力電圧を１００としたときの出力電圧率との関係を測定した。その結果を図４に示す。
【００５９】
（比較例１）
比較例１で使用された燃料電池は、燃料供給手段を有しないこと以外は、上記した実施例１で使用された燃料電池の構成と同じである。また、電流密度（ｍＡ／ｃｍ２）と燃料電池の出力電圧（Ｖ）との関係および発電時間と出力電圧率との関係を測定する際の測定方法および測定条件は、実施例１における測定方法および測定条件と同じである。電流密度（ｍＡ／ｃｍ２）と燃料電池の出力電圧（Ｖ）との関係を測定した結果を図３に示し、発電時間と出力電圧率との関係を測定した結果を図４に示す。
【００６０】
（測定結果の検討）
図３に示すように、燃料電池の充電密度が高くなるに従って出力電圧が低下するが、その出力電圧の低下は、燃料供給手段を備える実施例１の燃料電池の方が少なく、高い発電出力が得られることがわかった。
【００６１】
また、図４に示すように、双方とも発電時間に伴って、出力電圧率は減少するが、燃料供給手段を備える実施例１の燃料電池の方がその減少率が小さく、高い出力電圧を維持できることがわかった。
【００６２】
これらの測定結果から、燃料電池に燃料供給手段を設け、気液分離膜を介して行われる、アノード触媒層から拡散した水蒸気と液体燃料との間の熱交換を促進することで、優れた出力特性が得られることがわかった。
【図面の簡単な説明】
【００６３】
【図１】一実施の形態の直接メタノール型の燃料電池の断面図。
【図２】気液分離膜の機能を説明をするための概要図。
【図３】電流密度と燃料電池の出力電圧との関係を示す図。
【図４】発電時間と出力電圧率との関係を示す図。
【符号の説明】
【００６４】
１０…燃料電池、１１…アノード触媒層、１２…アノードガス拡散層、１３…カソード触媒層、１４…カソードガス拡散層、１５…電解質膜、１６…膜電極接合体、１７…アノード導電層、１８…カソード導電層、１９…アノードシール材、２０…カソードシール材、２１…液体燃料タンク、２２…気液分離膜、２３，２７…フレーム、２４…水排出手段、２５…気化燃料収容室、２６…燃料供給手段、２８…保湿層、２９…表面層、３０…空気導入口。
【図１】
2007122960.tif 000003
【図２】
2007122960.tif 000004
【図３】
2007122960.tif 000005
【図４】
2007122960.tif 000006